(57)【要約】【課題】  特別遊技の獲得を容易にさせ得る手段を遊技者に提供し、その行使が遊技者の選択により行い得ることで、従来の弾球遊技機にはない新たな興趣を遊技者に提供することにある。【解決手段】  中央入賞装置２０は、遊技球を貯留する貯留箱２４と、貯留された貯留球の開放を決定する開放決定手段（内部ステージ２５）と、を含み、該開放決定手段は遊技者の選択により開放決定が可能で、中央入賞装置２０は、開放された貯留球が特定領域２６を通過しやすいように構成されていることを特徴とする。これにより、遊技者は貯留箱２４に遊技球を貯留させて特別開放状態（単位特別遊技）を得やすくすることが可能で、更に、貯留球の開放を遊技者自身が決定することができるので、遊技者が特別遊技（大当たり）の獲得に積極的に関与することとなり、従来の弾球遊技機にはない新たな興趣を遊技者に提供することが可能となる。【選択図】  図１
2006149492.tif 000002
【特許請求の範囲】
【請求項１】
少なくとも一対の羽根を備え、当該羽根を動作させることで入賞が容易な開放状態と入賞が困難又は不可能な閉鎖状態とに可変で、その内部に特定領域及び非特定領域を有する可変入賞部と、
前記可変入賞部の始動用に設けられている始動入賞部と、を含み、
前記始動入賞部に遊技球が入球したことを条件として前記可変入賞部が所定の始動開放状態となり、該始動開放状態中に前記可変入賞部へ入球した遊技球が前記特定領域を通過した場合に、前記可変入賞部が前記始動開放状態より有利な特別開放状態となる弾球遊技機において、
前記可変入賞部は、遊技球を貯留する貯留手段と、貯留された貯留球の開放を決定する開放決定手段と、を含み、
前記開放決定手段は遊技者の選択により前記決定が可能で、
前記可変入賞部は、開放された前記貯留球が前記特定領域を通過しやすいように構成されていることを特徴とする弾球遊技機。
【請求項２】
前記貯留手段は前記遊技球を収納する箱型役物であって、該箱型役物が変動又は変形することにより前記貯留球を前記特定領域の方へ開放することを特徴とする請求項１に記載の弾球遊技機。
【請求項３】
前記一対の羽根のいずれか一の側に前記貯留手段が配設され、他の側に前記開放決定手段が配設されていることを特徴とする請求項１又は２に記載の弾球遊技機。
【請求項４】
前記開放決定手段は遊技球を前記貯留手段に衝突させることにより前記決定を行うことを特徴とする請求項１乃至３に記載の弾球遊技機。
【請求項５】
前記開放決定手段は当たり領域と非当たり領域とを含む役物であって、遊技球が前記当たり領域を通過した場合に前記決定を行うことを特徴とする請求項１乃至３に記載の弾球遊技機。
【請求項６】
少なくとも、前記始動開放状態、前記特別開放状態のいずれかにおいて、前記貯留手段は前記遊技球を貯留し、前記貯留球は前記特定領域を通過しやすいように開放されることを特徴とする請求項１乃至５に記載の弾球遊技機。
【発明の詳細な説明】
【技術分野】
【０００１】
本発明は、パチンコ遊技機等の弾球遊技機に関し、特に、入賞が容易な開放状態と入賞が困難又は不可能な閉鎖状態とに変動する可変入賞部を備えた弾球遊技機に関する。
【背景技術】
【０００２】
一般に、弾球遊技機の一つであるパチンコ遊技機では、遊技者は遊技盤に設けられた入賞部等に遊技球を入球させ、遊技を行う。従来のパチンコ遊技機の中には、いわゆる羽根物と呼ばれるパチンコ遊技機（以下「第２種パチンコ遊技機」という）がある。この第２種パチンコ遊技機には「羽根」と呼ばれる一対の可動翼片を備えた可変入賞部が設けられ、この可変入賞部は入賞が容易な開放状態と入賞が困難又は不可能な閉鎖状態とに変動し、その内部には特定領域と非特定領域とが形成されている。第２種パチンコ遊技機は、遊技盤に設けられた始動口（始動入賞部）への遊技球の入球に基づいて、可変入賞部の一対の可動翼片を同時に開く補助遊技を行わせ、可動翼片が開いた際（始動開放状態）に遊技球を可変入賞部の内部に入球させ、該遊技球が特定領域を通過（以下、「Ｖ入賞」という）すると特別遊技を行わせるというものである。この特別遊技では、始動開放状態より有利な開放状態である単位特別遊技（特別開放状態）が、所定ラウンド数を限度に繰り返され得る。但し、この単位特別遊技のラウンド継続（更新）は、前ラウンド中に遊技球がＶ入賞することを条件として新たなラウンドに移行することが可能である。このような第２種パチンコ遊技機が、例えば、特許文献１に記載されている。
【０００３】
また、可変入賞部（変動入賞装置）内に遊技球を貯留可能な遊技球貯留変換装置を備えた第２種パチンコ遊技機が、特許文献２に記載されている。この第２種パチンコ遊技機は、遊技球貯留変換装置の状態を変化させることで、始動口への連続入賞を無駄にすることなく変動入賞装置内の状態を変換可能としている。
【０００４】
【特許文献１】特開２００２−１３６６９６号公報
【特許文献２】特開２００４−８４１０号公報
【発明の開示】
【発明が解決しようとする課題】
【０００５】
上記特許文献１に記載されたような従来の第２種パチンコ遊技機では、遊技者が、可変入賞部の開放に関わる始動口に遊技球を連続して入賞させても、期待に反して特別な遊技価値を得ることはできない。例えば、遊技球が始動口に連続して２個入賞しても、可動翼片の回動動作が入賞１個分にされてしまうことがあり、遊技者の遊技意欲を減衰させる虞があった。このため、遊技者は積極的に始動口への連続入賞を狙わなくなる傾向があり、遊技の興趣を損なわせていた。
【０００６】
これに対し、上記特許文献２に記載された第２種パチンコ遊技機は、遊技球を貯留可能な貯留状態と遊技球を貯留しない非貯留状態とに変換可能な遊技球貯留変換装置とを備え、始動口に遊技球が入賞すると、遊技球貯留変換装置を所定時間に亘って貯留状態に変換するとともに可動部材（羽根）を開状態に変換し、更に、遊技球貯留変換装置が貯留状態中に、他の遊技球が始動口へ入賞すると、貯留状態を所定時間延長させるように制御されている。これにより、始動口への連続入賞を無駄にすることなく変動入賞装置内の状態を変換できるようにして、遊技の興趣を高めることを目的としたものである。
【０００７】
しかし、上記特許文献２に記載されたパチンコ遊技機は、始動口への連続入賞を無駄にすることなく変動入賞装置内の状態を変換できるようにしたものであって、遊技者が大当たり（特別遊技）獲得に積極的に関与できるものではない。例えば、遊技者が大当たり入賞を得やすくなる条件を自ら作り、その条件を自らの判断で行使し得るようにすれば、遊技者が大当たり獲得に積極的に関与することが可能となり、遊技の興趣を更に高めることが可能である。
【０００８】
本発明は、上記のような課題に鑑みなされたものであり、その目的は、特別遊技の獲得を容易にさせ得る手段を遊技者に提供し、その行使が遊技者の選択により行い得ることで、従来の弾球遊技機にはない新たな興趣を遊技者に提供可能とする弾球遊技機を提供することにある。
【課題を解決するための手段】
【０００９】
上記目的達成のため、本発明の弾球遊技機は、可変入賞部に遊技球を貯留する貯留手段と貯留された遊技球（以下「貯留球」という）の開放を決定する開放決定手段とを含み、遊技者の選択により貯留球の開放を行うものである。
【００１０】
しかして、本発明に係る弾球遊技機では、少なくとも一対の羽根を備え、当該羽根を動作させることで入賞が容易な開放状態と入賞が困難又は不可能な閉鎖状態とに可変で、その内部に特定領域及び非特定領域を有する可変入賞部と、前記可変入賞部の始動用に設けられている始動入賞部と、を含み、前記始動入賞部に遊技球が入球したことを条件として前記可変入賞部が所定の始動開放状態となり、該始動開放状態中に前記可変入賞部へ入球した遊技球が前記特定領域を通過した場合に、前記可変入賞部が前記始動開放状態より有利な特別開放状態となる弾球遊技機において、前記可変入賞部は、遊技球を貯留する貯留手段と、貯留された貯留球の開放を決定する開放決定手段と、を含み、前記開放決定手段は遊技者の選択により前記決定が可能で、前記可変入賞部は、開放された前記貯留球が前記特定領域を通過しやすいように構成されていることを特徴としている。
【００１１】
これにより、遊技者は前記可変入賞部に遊技球を貯留させて特別開放状態（単位特別遊技）を得やすくすることが可能であり、更に、貯留球の開放を遊技者自身が決定することができるので、遊技者が特別遊技（大当たり）の獲得に積極的に関与することとなり、従来の弾球遊技機にはない新たな興趣を遊技者に提供することが可能となる。
【００１２】
また、本発明に係る弾球遊技機では、前記貯留手段は前記遊技球を収納する箱型役物であって、該箱型役物が変動又は変形することにより前記貯留球を前記特定領域の方へ開放することを特徴としている。
【００１３】
これにより、貯留される遊技球は箱型役物内に収容され、この箱型役物が変動又は変形することにより収容した貯留球を開放するので、貯留球を特定領域の方へ確実に開放することが可能である。
【００１４】
また、本発明に係る弾球遊技機では、前記一対の羽根のいずれか一の側に前記貯留手段が配設され、他の側に前記開放決定手段が配設されていることを特徴としている。これにより、遊技者は一対の羽根のいずれか一の側を狙って遊技球を発射することで遊技球を貯留させることができ、他の側を狙って発射することで貯留球を開放させることが可能である。
【００１５】
また、本発明に係る弾球遊技機では、前記開放決定手段は遊技球を前記貯留手段に衝突させることにより前記決定を行うことを特徴としている。これにより、遊技者は遊技球を貯留手段に衝突させるように遊技球を打ち出すので、従来とは異なる興趣を遊技者に与えることが可能である。
【００１６】
また、本発明に係る弾球遊技機では、前記開放決定手段は当たり領域と非当たり領域とを含む役物であって、遊技球が前記当たり領域を通過した場合に前記決定を行うことを特徴としている。これにより、遊技球が前記当たり領域を通過した場合に貯留球は開放されるので、更なる興趣を遊技者に与えることが可能である。
【００１７】
更に、本発明に係る弾球遊技機では、少なくとも、前記始動開放状態、前記特別開放状態のいずれかにおいて、前記貯留手段は前記遊技球を貯留し、前記貯留球は前記特定領域を通過しやすいように開放されることを特徴としている。これにより、始動開放状態又は特別開放状態（単位特別遊技）のいずれかにおいてのみ遊技球を貯留して開放することとしてもよく、遊技の多様性を拡大させることが可能となる。
【発明の効果】
【００１８】
本発明によれば、可変入賞部は遊技球を貯留する貯留手段と貯留球の開放を決定する開放決定手段とを含み、前記開放決定手段は遊技者の選択により前記決定が可能で、前記可変入賞部は開放された前記貯留球が特定領域を通過しやすいように構成されている。
【００１９】
これにより、遊技者は前記可変入賞部に遊技球を貯留させて特別開放状態（単位特別遊技）を得やすくすることが可能であり、更に、貯留された貯留球の開放を遊技者自身が決定することができるので、遊技者が特別遊技（大当たり）の獲得に積極的に関与することとなり、従来の弾球遊技機にはない新たな興趣を遊技者に提供することが可能となる。
【００２０】
また、本発明によれば、前記貯留手段は前記遊技球を収納する箱型役物であって、該箱型役物が変動又は変形することにより前記貯留球を前記特定領域の方へ開放するので、貯留球は箱型役物内に収容され、この箱型役物が変動又は変形することにより貯留球を特定領域の方へ確実に開放することが可能である。
【００２１】
また、本発明によれば、前記一対の羽根のいずれか一の側に前記貯留手段が配設され、他の側に前記開放決定手段が配設されているので、遊技者は一対の羽根のいずれか一の側を狙って遊技球を発射することで遊技球を貯留させることができ、他の側を狙って発射することで貯留球を開放させることが可能である。
【００２２】
また、本発明によれば、前記開放決定手段は遊技球を前記貯留手段に衝突させることにより前記決定を行う。これにより、遊技者は遊技球を貯留手段に衝突させるように遊技球を打ち出すので、従来とは異なる興趣を遊技者に与えることが可能である。
【００２３】
また、本発明によれば、前記開放決定手段は当たり領域と非当たり領域とを含む役物であって、遊技球が前記当たり領域を通過した場合に前記決定を行う。これにより、遊技球が前記当たり領域を通過した場合に貯留球は開放されるので、更なる興趣を遊技者に与えることが可能である。
【００２４】
更に、本発明によれば、少なくとも、前記始動開放状態、前記特別開放状態のいずれかにおいて、前記貯留手段は前記遊技球を貯留し、前記貯留球は前記特定領域を通過しやすいように開放されるので、始動開放状態又は特別開放状態（単位特別遊技）のいずれかにおいてのみ遊技球を貯留して開放することとしてもよく、遊技の多様性を拡大させることが可能となる。
【発明を実施するための最良の形態】
【００２５】
本発明に係る第１、第２の実施形態について、図面を参照して説明する。なお、以下に説明する第１、第２の実施形態は特許請求の範囲にかかる発明を限定するものではなく、また、各実施形態の中で説明されている特徴の組み合わせの全てが発明の解決手段に必須であるとは限らない。
【００２６】
初めに、本発明の第１の実施形態に係る弾球遊技機１の構成について図１を参照して説明する。
【００２７】
図１は、本発明の第１の実施形態に係る弾球遊技機１の遊技盤２の正面（前面）側盤面を示す正面図である。この弾球遊技機１の遊技盤２には正面側に遊技領域３が形成され、その中央付近に本発明の特徴部分を構成する可変入賞部としての中央入賞装置２０が配設されている。中央入賞装置２０は、左右で対をなす第１の羽根２１、第２の羽根２２を備えており、第１、第２の羽根２１、２２を立てると遊技球が入球不可能な閉鎖状態となり、第１、第２の羽根２１、２２を左右に開く（倒す）と入球容易な開放状態（始動開放状態及び／又は特別開放状態を意味する。以下同じ）となる。図１に示す第１、第２の羽根２１、２２は、羽根を立てた閉鎖状態を実線で示し、羽根を開いた開放状態を点線で示す。なお、第１、第２の羽根２１、２２は、図示しないソレノイドにより駆動される。
【００２８】
中央入賞装置２０の内部には、第１の羽根２１の側に遊技球を収納して貯留する貯留手段としての貯留箱２４が配設されており、貯留箱２４の下方には中央入賞装置２０に入球した遊技球が通過する三つの領域が形成されている。中央の領域が特定領域２６であって、遊技球がこの特定領域２６を通過するとＶ入賞となり、特定領域２６の左右両側の領域はどちらも非特定領域２７、２７であって、遊技球がこの非特定領域２７、２７を通過するといわゆる「はずれ」となる。なお、本発明の特徴部分を構成する中央入賞装置２０の詳細については、図２を参照して後で説明する。
【００２９】
中央入賞装置２０の下方には、中央入賞装置２０の第１、第２の羽根２１、２２の動作に関わる第１の始動入賞部１１及び第２の始動入賞部１２、１２が配設されている。中央に配設された第１の始動入賞部１１の上部には、開口幅を拡大させる拡大装置１１ａ、１１ａが配設されている。この拡大装置１１ａ、１１ａは、通常は遊技球を１個通過可能とするが２個同時通過不可能な幅を保つことにより、第１の始動入賞部１１への遊技球の入球を困難なものとしているが、拡大作動時は広い範囲で遊技球を拾うことが可能となり、第１の始動入賞部１１への遊技球の入球を容易なものとする。
【００３０】
一方、第１の始動入賞部１１の左右両方向に配設された第２の始動入賞部１２、１２は、その上部に開口部が形成されたコップ状の役物であり、該開口部は遊技球を１個通過可能とする大きさである。このように、第２の始動入賞部１２、１２は、遊技球の入球が第１の始動入賞部１１より困難な構成になっている。なお、第１の始動入賞部１１及び第２の始動入賞部１２、１２には、入賞した遊技球を検出する図示しない始動入賞検出センサがそれぞれ配設されている。
【００３１】
中央入賞装置２０の左右両方向には、遊技球が通過可能な作動ゲート７、７が配設されている。作動ゲート７、７には通過した遊技球を検出する図示しない作動ゲート通過検出装置が設けられ、遊技球の通過を契機として普通図柄表示部６における普通図柄の変動表示が開始される。普通図柄は普通図柄表示部６に設けられたランプの表示によって行われ、当該ランプが所定の状態に点灯すると、第１の始動入賞部１１の拡大装置１１ａ、１１ａが所定時間だけ作動される。
【００３２】
第２の始動入賞部１２、１２の下方には入賞口５、５が配設されており、遊技球が入賞口５、５に入球すると所定個数の賞球が遊技者に与えられる。また、遊技盤２の下端には、第１、第２の始動入賞部１１、１２、１２、入賞口５、５、中央入賞装置２０の何れにも入球しなかった遊技球を排出するアウト口９が配設されている。また、遊技盤２には、遊技球の落下方向に変化を与える風車８、８や図示しない釘が配設され、遊技盤２の前面は、図示しないガラス板で覆われている。
【００３３】
遊技盤２の下方には、遊技球を遊技盤２の下端から正面側左上方へ打ち出すための図示しない弾球ハンドルが配設されている。この弾球ハンドルは、例えば時計方向に回転させると遊技球が発射されるようになっており、弾球ハンドルの操作により遊技球の打ち分けが可能な構成となっている。すなわち、弾球ハンドルをいっぱいに回転させると遊技球が強く発射されて遊技領域３の正面右側に打ち出され（以下、「右打ち」という）、弾球ハンドルを少し回転させると遊技球が弱く発射されて遊技領域３の正面左側に打ち出される（以下、「左打ち」という）。このように、遊技者の選択により右打ち、左打ちを簡単に行うことが可能である。
【００３４】
更に、遊技盤２の下方には、第１、第２の始動入賞部１１、１２、１２、入賞口５、５、中央入賞装置２０に遊技球が入球したときに所定の個数の遊技球が払い出される図示しない賞球払出口、及び、それらの遊技球を受ける球受け皿がそれぞれ配設されている。
【００３５】
次に、本発明の特徴部分を構成する中央入賞装置２０の構成について図２を参照して説明する。
【００３６】
図２は中央入賞装置２０を拡大して示す正面概略図であって、図２（ａ）は貯留箱２４に３個の遊技球が貯留されている状態を示し、図２（ｂ）は４個の遊技球が貯留された後に遊技球ｄが貯留箱２４に衝突している状態を示し、図２（ｃ）は貯留箱２４が貯留されていた４個の遊技球を開放している状態をそれぞれ示す。
【００３７】
可変入賞部である中央入賞装置２０は、遊技領域３のほぼ中央に配設された略直方体状の入賞装置である。中央入賞装置２０は、左右で対をなす第１、第２の羽根２１、２２を備えており、第１、第２の羽根２１、２２を立てると入賞不可能な閉鎖状態となり、第１、第２の羽根２１、２２を左右に開くと入賞容易な開放状態へ変動する。図２各図は、第１、第２の羽根２１、２２を左右に開いた開放状態を示している。なお、中央入賞装置２０にはこれら第１、第２の羽根２１、２２を開閉駆動するための図示しないソレノイドが配設されている。
【００３８】
中央入賞装置２０の上部には、庇部２３が突設され、遊技球が上方から落下して中央入賞装置２０中へ入球するのを防止する。上述したように、開放状態では第１、第２の羽根２１、２２が左右に開くので、庇部２３の両下端とのスペースから遊技球が中央入賞装置２０へ入球するが、閉鎖状態では第１、第２の羽根２１、２２が立てられて庇部２３の両下端とのスペースを塞ぐので（図１参照）、中央入賞装置２０への遊技球の入球を防止する。
【００３９】
中央入賞装置２０の内部には、第１の羽根２１側に遊技球を貯留する貯留箱２４が配設され、第２の羽根２２側に貯留球の開放を決定する開放決定手段としての内部ステージ２５が配設されている。貯留箱２４は略直方体の箱型役物であって、その上部に遊技球が進入する開口部２４ａが形成されている。貯留箱２４は所定個数以内の遊技球をその内部に収容して貯留可能とし、本実施形態では４個までの遊技球を貯留する。なお、開口部２４ａには図示しない貯留球センサが配設され、貯留された遊技球を検出する。また、貯留箱２４は後述する特定領域２６に向け貯留球を開放するように構成されており、例えば、貯留箱２４は左下端２４ｃが軸支持され、この左下端２４ｃを中心として回動可能に配設されている。図２（ｃ）に示すように、貯留箱２４が左下端２４ｃを中心に時計方向に回動して特定領域２６の方へ傾き、更に側面２４ｂがその上端部を中心として回動することにより、貯留球が特定領域２６に向けて開放される。
【００４０】
第２の羽根２２側に配設された内部ステージ２５は、第２の羽根２２側より中央入賞装置２０へ入賞した遊技球を貯留箱２４の方へ誘導して側面２４ｂに衝突させた後に転動させるステージであって、本実施形態においては、貯留箱２４に貯留された貯留球の開放を決定する開放決定手段を構成する。第２の羽根２２側より中央入賞装置２０へ入賞した遊技球は、内部ステージ２５により誘導されて先ず貯留箱２４の側面２４ｂに衝突する。側面２４ｂには遊技球の衝突を検出する図示しない衝突センサが配設されており、所定個数（例えば４個）の衝突が検出されると貯留箱２４の回動が開始する。このように、内部ステージ２５は第２の羽根２２側から中央入賞装置２０へ入賞した遊技球を側面２４ｂに衝突させることで貯留箱２４に貯留された貯留球の開放の決定を行うものである。
【００４１】
また、内部ステージ２５には遊技球を流下させる流下孔２５ａが形成されており、中央入賞装置２０に入球した遊技球（但し、貯留箱２４に貯留される遊技球を除く）を内部ステージ２５上で転動させた後、流下孔２５ａへ入球させる。内部ステージ２５の下方には遊技球が流下する流下領域２８が形成され、流下領域２８の下方には遊技球が通過する三つの領域が形成されている。この三つの領域のうち中央に形成された領域が特定領域２６であって、遊技球がこの特定領域２６を通過するとＶ入賞となる。特定領域２６の左右両側の領域はどちらも非特定領域２７、２７であって、遊技球がこの非特定領域２７、２７を通過するといわゆる「はずれ」となる。なお、特定領域２６、非特定領域２７、２７には、通過する遊技球を検出するための特定領域センサ２６ａ、非特定領域センサ２７ａ、２７ａが配設されており、各領域を通過する遊技球を検出する。そして、特定領域２６、非特定領域２７、２７を通過した遊技球は、遊技盤２の裏面側に排出される。
【００４２】
次に、中央入賞装置２０に入賞した遊技球の流れを中心に、更に中央入賞装置２０について説明する。図２各図に示すように、第１、第２の羽根２１、２２が左右に開いた開放状態においては、遊技球が中央入賞装置２０に入賞可能である。図２（ａ）には、第１の羽根２１側から入賞した３個の遊技球Ａ、Ｂ、Ｃと第２の羽根２２側から入賞した３個の遊技球ａ、ｂ、ｄがそれぞれ示されている。第１の羽根２１側から入賞した３個の遊技球Ａ、Ｂ、Ｃは貯留箱２４に貯留されており、第２の羽根２２側から入賞した遊技球ａは流下領域２８を流下し、遊技球ｂは内部ステージ２５上を転動している。このように、貯留箱２４に収容されて貯留される遊技球は、第１の羽根２１側から中央入賞装置２０に入賞した遊技球であって、第２の羽根２２側から入賞した遊技球は、貯留箱２４の側面２４ｂに衝突後内部ステージ２５上を転動し、流下孔２５ａを経由して流下領域２８へ誘導される。流下領域２８へ誘導された遊技球は、流下領域２８内を流下して特定領域２６又は非特定領域２７、２７へ誘導されるが、特定領域２６は非特定領域２７、２７に比べ狭く形成されているので遊技球が特定領域２６を通過する確率は非特定領域２７、２７よりかなり低い。なお、第１の羽根２１側から入賞して貯留箱２４に収容されなかった遊技球も、内部ステージ２５上を転動した後に流下領域２８側へ誘導されるが、貯留箱２４の側面２４ｂに衝突することはない。
【００４３】
上述したように、第２の羽根２２側から入賞した遊技球は、図２（ｂ）に示す遊技球ｄのように、貯留箱２４の側面２４ｂに衝突した後に内部ステージ２５上を転動する。なお、各遊技球と側面２４ｂとの衝突は１回のみ可能であり、内部ステージ２５上を転動中に遊技球が再度衝突することはない。貯留箱２４には最大４個までの貯留球を収容可能（図２（ｂ）参照）であり、貯留箱２４の側面２４ｂには、上述したように、衝突した遊技球（以下、「衝突球」という）を検出する図示しない衝突センサが配設されている。貯留箱２４の側面２４ｂに所定個数（例えば４個）の遊技球が衝突、すなわち衝突センサが所定個数の衝突球を検出すると、貯留箱２４の回動が開始され、図２（ｃ）に示すように、貯留球Ａ、Ｂ、Ｃ、Ｄが特定領域２６の方へ開放される。特定領域２６の方へ開放された貯留球Ａ、Ｂ、Ｃ、Ｄが特定領域２６を通過すると遊技者はＶ入賞を得ることができるので、特定領域２６が非特定領域２７、２７より狭く形成されていても確実にＶ入賞を得ることが可能となる。
【００４４】
このように、本実施形態における中央入賞装置２０は、遊技球（貯留球を含む）が特定領域２６を通過（Ｖ入賞）するルートとして貯留箱２４を経由する第１のルートと内部ステージ２５及び流下領域２８を経由する第２のルートを有している。前述したように、特定領域２６は非特定領域２７、２７より狭く形成されているので、内部ステージ２５及び流下領域２８を経由する第２のルートでは遊技球が特定領域２６を通過する確率は非特定領域２７を通過する確率よりかなり小さい。これに対し、貯留箱２４を経由する第１のルートでは、貯留箱２４が回動して特定領域２６の方へ傾くので、開放された貯留球は容易に特定領域２６を通過することとなる。但し、第１のルートは、貯留箱２４に遊技球を貯留させる第１のステップと、貯留箱２４の側面に遊技球を衝突させて貯留球を開放させる第２のステップとから構成される。なお、本実施形態における中央入賞装置２０は、閉鎖状態において遊技球が入賞不可能な構成としたが、閉鎖状態において入賞可能であるが困難な構成としても当然よい。
【００４５】
次に、以上のような構成の弾球遊技機１を用いた遊技の概要を説明する。遊技者が図示しない弾球ハンドルを操作すると、遊技球が発射され、ガイドレール４に案内されて遊技盤２に形成された遊技領域３の上方に放出される。上述したように、弾球ハンドルは、弾球ハンドルの操作により遊技球の打ち分けが可能な構成となっており、遊技者の選択により右打ち、左打ちを簡単に行うことが可能である。
【００４６】
遊技領域３に打ち出された遊技球は、風車８や図示しない釘等に接触して落下方向を変化させながら、一部は第１、第２の始動入賞部１１、１２、１２、又は、入賞口５、５に入球し、第１、第２の始動入賞部１１、１２、１２、及び、入賞口５、５に入球しなかった遊技球は、アウト口９に入球する。なお、遊技球が入賞口５、５に入球すると、賞球払出口から例えば５球の賞球が遊技者に払い出される。
【００４７】
次に、遊技球が作動ゲート７、７を通過すると、作動ゲート通過検出装置からの通過信号を契機に普通図柄抽選が行われ、普通図柄表示部６において普通図柄の変動を開始する。そして、変動が開始してから例えば３０秒が経過すると、抽選された結果の態様で普通図柄が停止する。このとき普通図柄の停止態様が予め定められた当たりの態様であれば、第１の始動入賞部１１の拡大装置１１ａ、１１ａが作動され、例えば０．５秒間だけ保持される。この間、第１の始動入賞部１１の開口幅が拡大されるので、第１の始動入賞部１１への入賞が容易となる。また、普通図柄の停止態様が予め定められた外れの態様であれば、第１の始動入賞部１１の拡大装置１１ａ、１１ａは作動されないが、この場合でも第１の始動入賞部１１への入賞は可能である。なお、普通図柄表示部６において普通図柄の変動中に遊技球がゲート７、７を通過した場合には、その分の変動は保留されて順次実行される。
【００４８】
次に、遊技球が第１、第２の始動入賞部１１、１２、１２に入賞すると、図示しない各始動入賞検出センサからの検出信号を契機に賞球払出口から例えば５球の賞球が遊技者に払い出されると共に、中央入賞装置２０の第１、第２の羽根２１、２２を作動させて中央入賞装置２０を始動開放状態とする。
【００４９】
始動開放状態は、中央入賞装置２０を所定の開放状態にして、この始動開放状態中に中央入賞装置２０に入球した遊技球が特定領域２６を通過（Ｖ入賞）した場合に特別遊技を開始させる、遊技者にとって有利な遊技状態である。特別遊技では、中央入賞装置２０を始動開放状態よりも長期にわたり開放状態とする特別開放状態（単位特別遊技）が繰り返し実行される。このように、特別開放状態（単位特別遊技）は遊技者にとって始動開放状態より更に有利な遊技状態であって、特別開放状態と始動開放状態の違いは、中央入賞装置２０の開放状態時間の長短として規定することができる。例えば、間欠的に開放状態にする動作であれば、始動開放状態のときには少数回（例えば２、３回）として特別開放状態のときには多数回（例えば２０回とか３０回）とすることで両者を区別できる。また、この場合に、特別開放状態では１回の開放時間を長くする（例えば、始動開放状態では０．５秒であるが特別開放状態では１秒にする）ことを行ってもよい。また、間欠的な動作を行わない場合には、始動開放状態の時間を短くして（例えば２秒程度）、特別開放状態の時間を長くする（例えば２０秒程度）ことで両者を区別することもできる。なお、ここにあげた回数や時間はあくまでも例であり、これらに限られるものではない。
【００５０】
本実施形態における始動開放状態では、例えば、中央入賞装置２０の第１、第２の羽根２１、２２を０．５秒間開放状態に作動させる動作を２回行う。この始動開放状態中に第１の羽根２１側から中央入賞装置２０へ入球した遊技球は、貯留箱２４に収容されて貯留される第１のルートか、貯留箱２４に収容されずに内部ステージ２５及び流下領域２８を経由する第２のルートかのいずれかを進む。これに対し、第２の羽根２２側から中央入賞装置２０へ入球した遊技球は、貯留箱２４の側面２４ｂに衝突した後にステージ２５上を転動する第２のルートを進む。図１に示すように、第１の羽根２１は遊技盤２の正面側から見て中央入賞装置２０の左側に配設され、第２の羽根２２は右側に配設されているので、左打ちをすることにより遊技球を第１の羽根２１側から中央入賞装置２０へ入賞させることができ、右打ちをすることにより第２の羽根２２側から遊技球を入賞させることが可能である。
【００５１】
前述したように、貯留箱２４は最大４個までの遊技球を収容して貯留することができるので、遊技者は左打ちを行うことにより貯留箱２４に遊技球を貯留させることが可能で、また、右打ちを行うことにより遊技球を第２の羽根２２側から中央入賞装置２０へ入賞させて第２のルートよりＶ入賞を狙うことも可能であり、遊技者自身がこれらの選択を行うことができる。第２のルートを進む遊技球は、流下領域２８内を流下して、特定領域２６又は非特定領域２７、２７のいずれかに誘導されるが、上述したように、特定領域２６は非特定領域２７、２７より狭く形成されているので遊技球が特定領域２６を通過する確率は非特定領域２７、２７よりかなり低い。そこで、好ましくは先ず左打ちを行い貯留箱２４に遊技球を貯留させた後に、右打ちを行って貯留箱２４の側面に所定個数の遊技球を衝突させることにより貯留箱２４を回動させ、貯留球を特定領域２６の方へ開放させることである。これにより、遊技者は確実に遊技球を特定領域２６へ入賞（Ｖ入賞）させることが可能となる。また、遊技球が特定領域２６、非特定領域２７、２７のいずれかを通過すると、特定領域センサ２６ａ、非特定領域センサ２７ａ、２７ａからの検出信号を契機に賞球払出口から例えば７球の賞球が遊技者に払い出され、特定領域２６、非特定領域２７、２７のいずれかを通過した遊技球は遊技盤２の裏面側に排出される。
【００５２】
始動開放状態においてＶ入賞すると大当りとなり、続いて特別遊技が開始される。本実施形態における単位特別遊技（特別開放状態）では、中央入賞装置２０の第１、第２の羽根２１、２２を１秒間開放状態にする動作を所定回数（例えば１０回）だけ繰り返すものとする。更に、単位特別遊技中に中央入賞装置２０に入球した遊技球が特定領域２６を通過（Ｖ入賞）することを条件として、所定ラウンド数（例えば１５ラウンド）を限度にこの単位特別遊技が繰り返し実行される。但し、単位特別遊技中に遊技球がＶ入賞しなかった場合には、ラウンドの更新はされずに特別遊技は終了する。なお、特別遊技中（特別開放状態）においても特定領域センサ２６ａ、非特定領域センサ２７ａ、２７ａからの検出信号を契機に賞球払出口から例えば７球の賞球が遊技者に払い出される。
【００５３】
このように、本実施形態に係る弾球遊技機１では、中央入賞装置２０は遊技球を貯留する貯留手段としての貯留箱２４と、貯留球の開放を決定する開放決定手段（主に内部ステージ２５により構成される）と、を含み、遊技者が左打ちをすると貯留箱２４に遊技球を貯留することが可能で、右打ちをすると貯留された遊技球を開放させることが可能なように構成されている。更に、貯留箱２４は、左下端２４ｃを中心に回動可能で、収容した貯留球が特定領域２６を通過（Ｖ入賞）しやすいように開放できるように構成されている。これにより、遊技者は左打ちを行って貯留箱２４に遊技球を貯留させてＶ入賞を得やすくすることができ、更に、右打ちを行って貯留箱２４に収容された貯留球の開放を行うことができるので、遊技者が特別遊技（大当たり）の獲得に積極的に関与することとなり、従来の弾球遊技機にはない新たな興趣を遊技者に提供することが可能となる。
【００５４】
なお、本実施形態では、始動開放状態及び特別開放状態の両方において、貯留箱２４に遊技球を貯留することを可能とし、貯留箱２４に収納された貯留球が特定領域２６を通過（Ｖ入賞）しやすいように開放されるものとしたが、始動開放状態又は特別開放状態（単位特別遊技）のいずれかにおいてのみ遊技球を貯留箱２４に収容して貯留可能としてもよい。例えば、始動開放状態においては開口部２４ａを閉鎖して貯留箱２４に遊技球が貯留されることを防止し、特別開放状態においてのみ開口部２４ａを開放して貯留箱２４に遊技球が貯留されるようにしてもよく、また、これとは反対に、特別開放状態においては開口部２４ａを閉鎖し、始動開放状態においてのみ開口部２４ａを開放して遊技球が貯留されるようにしてもよい。少なくとも、始動開放状態、特別開放状態のいずれかにおいて、貯留箱２４に遊技球を貯留することを可能とし、貯留箱２４に収納された貯留球が特定領域２６を通過（Ｖ入賞）しやすいように開放されるものとすることにより、従来の弾球遊技機にはない新たな興趣を遊技者に提供することができ、更に遊技の多様性を拡大させることが可能となる。
【００５５】
次に、本発明の第２の実施形態について説明する。第２の実施形態に係る弾球遊技機１０１の構成と遊技の概要について、第１の実施形態に係る弾球遊技機１と異なる点を中心に図３及び図４を参照して説明する。
【００５６】
図３は、本発明の第２の実施形態に係る弾球遊技機１０１の遊技盤１０２の正面（前面）側盤面を示す正面図である。図４は、中央入賞装置１２０を拡大して示す正面概略図であって、図４（ａ）は貯留箱１２４に４個の遊技球が貯留されている状態を示し、図４（ｂ）は貯留箱１２４が貯留されていた４個の遊技球を開放している状態をそれぞれ示す。
【００５７】
第２の実施形態に係る弾球遊技機１０１は、中央入賞装置１２０の構成が第１の実施形態に係る弾球遊技機１と異なるが、それ以外は基本的に同一である。すなわち、第２の実施形態における中央入賞装置１２０には、貯留球の開放を決定する開放決定手段としてクルーン１２５が中央入賞装置１２０内の第２の羽根１２２側に配設されている。これ以外の弾球遊技機１０１の基本構成は弾球遊技機１の基本構成と同じであるので、弾球遊技機１０１の各構成には弾球遊技機１の各構成に対応する符号を割り当てて図３に示し、各構成の説明については省略する。
【００５８】
次に、第２の実施形態における可変入賞部としての中央入賞装置１２０について図４を参照して説明する。中央入賞装置１２０は、中央入賞装置２０と同様に、略直方体状の入賞装置であって、上部には庇部１２３が突設され、庇部１２３の下に左右で対をなす第１、第２の羽根１２１、１２２を備え、第１、第２の羽根１２１、１２２を立てると入賞不可能な閉鎖状態となり、第１、第２の羽根１２１、１２２を左右に開くと入賞容易な開放状態へ変動する。図４各図は、第１、第２の羽根１２１、１２２を左右に開いた開放状態を示す。
【００５９】
中央入賞装置１２０の内部には、第１の羽根１２１側に遊技球を貯留する貯留箱１２４が配設され、第２の羽根１２２側に貯留球の開放を決定する開放決定手段としてのクルーン１２５が配設されている。貯留箱１２４は、第１の実施形態に係る貯留箱２４と同じ箱型役物であって、その上部に遊技球が進入する開口部１２４ａが形成され、所定個数（４個）以内の遊技球をその内部に収容して貯留する。そして、貯留箱１２４は、貯留箱２４と同様に、左下端１２４ｃを中心として時計方向へ回動し、側面１２４ｂを上端部を中心に回動させることで、貯留球を特定領域１２６に向けて開放する（図４（ｂ）参照）。
【００６０】
これに対し、第２の羽根１２２側には第２の実施形態に係る開放決定手段としてのクルーン１２５が配設されている。クルーン１２５は、三つの孔（領域）が形成された皿状の役物であって、一つの孔が当たり領域１２５ａ、他の二つの孔（領域）が非当たり領域１２５ｂ、１２５ｂとなっている。第２の羽根１２２側より中央入賞装置１２０へ入賞した遊技球は、クルーン１２５上を転動後、当たり領域１２５ａ、非当たり領域１２５ｂ、１２５ｂのいずれかを通過して、流下領域１２８へ誘導される。ここで、遊技球が当たり領域１２５ａを通過すると、貯留箱１２４が回動を開始するが、非当たり領域１２５ｂを通過した場合には貯留箱は回動しない。すなわち、遊技球が当たり領域１２５ａを通過した場合のみ貯留箱１２４が回動し、貯留箱に貯留された遊技球を特定領域１２６の方へ開放する。このように、クルーン１２５は、遊技球の通過により、貯留球を開放するか否かの決定を行う開放決定手段である。
【００６１】
また、第２の実施形態における中央入賞装置１２０の内部には、略中央に仕切り塀１２９ｂが形成されており、第１の羽根１２１側の領域と第２の羽根１２２側の領域とに仕切られている。すなわち、第１の羽根１２１側の領域に貯留箱１２４が配設され、第２の羽根１２２側の領域にクルーン１２５が配設されている。そして、第１の羽根１２１側の領域には、通過孔１２９ａが形成されており、第１の羽根１２１側より中央入賞装置１２０へ入球したものの貯留箱１２４に収容されなかった遊技球は、この通過孔１２９ａを経由して流下領域１２８へ誘導される。
【００６２】
クルーン１２５と通過孔１２９ａの下方には遊技球が流下する流下領域１２８が形成され、流下領域１２８の下方には、第１の実施形態と同様に、遊技球が通過（又は入賞）する三つの領域が形成されている。中央入賞装置２０と同様に、中央に形成された領域が特定領域１２６であって、特定領域１２６の左右両側の領域はどちらも非特定領域１２７、１２７である。なお、特定領域１２６、非特定領域１２７、１２７には、通過する遊技球を検出するための特定領域センサ１２６ａ、非特定領域センサ１２７ａ、１２７ａが配設されている。
【００６３】
次に、中央入賞装置１２０に入賞した遊技球の流れについて、中央入賞装置２０と異なる点を中心に説明する。図４（ａ）には、第１の羽根１２１側から入賞した５個の遊技球Ｅ、Ｆ、Ｇ、Ｈ、Ｊと第２の羽根１２２側から入賞した３個の遊技球ｆ、ｇ、ｈがそれぞれ示されている。第１の羽根１２１側から入賞した４個の遊技球Ｅ、Ｆ、Ｇ、Ｈは貯留箱１２４に貯留されており、第２の羽根１２２側から入賞した遊技球ｆは非当たり領域１２５ｂを通過した後流下領域１２８を流下しており、遊技球ｇは仕切り塀１２９ｂに衝突した後クルーン１２５上を転動している。このように、第１の羽根１２１側より中央入賞装置１２０へ入賞した遊技球は、貯留箱１２４に収容されて貯留されるか、又は、貯留箱１２４に収容されずに通過孔１２９ａを経由して流下領域１２８へ誘導されるかいずれかの運命をたどる。
【００６４】
これに対し、第２の羽根１２２側から入賞した遊技球ｆ、ｇ、ｈは、仕切り塀１２９ｂに衝突後クルーン１２５上を転動し、当たり領域１２５ａ、非当たり領域１２５ｂ、１２５ｂのいずれかを通過して、流下領域１２８へ誘導される。図４（ｂ）に示すように、遊技球ｇが当たり領域１２５ａを通過すると、貯留箱１２４の回動が開始して貯留箱１２４に貯留されていた遊技球Ｅ、Ｆ、Ｇ、Ｈが特定領域１２６の方へ開放される。
【００６５】
流下領域１２８へ誘導された遊技球Ｊ、ｆ（図４（ａ）参照）は、流下領域１２８内を流下して特定領域１２６又は非特定領域１２７、１２７へ誘導されるが、第１の実施形態と同様に、特定領域１２６は非特定領域１２７、１２７と比べ狭く形成されているので遊技球が特定領域１２６を通過する確率は非特定領域１２７、１２７よりかなり低い。
【００６６】
貯留箱１２４は、貯留箱２４と同様に、最大４個までの貯留球を収容可能であり、第２の羽根１２２側から中央入賞装置１２０へ入賞した遊技球が当たり領域１２５ａを通過することにより、貯留箱１２４が回動し、更に側面１２４ｂを上端部を中心に回動させることで貯留球を特定領域１２６の方へ開放する。特定領域１２６の方へ開放された貯留球が特定領域１２６を通過すると遊技者はＶ入賞を得ることができるので、特定領域１２６が非特定領域１２７、１２７より狭く形成されていても確実にＶ入賞を得ることが可能となる。
【００６７】
このように、第２の実施形態における中央入賞装置１２０は、遊技球（貯留球を含む）が特定領域１２６を通過（Ｖ入賞）するルートとして貯留箱１２４を経由する第１のルートと流下領域１２８を経由する第２のルートを有している。前述したように、特定領域１２６は非特定領域１２７、１２７より狭く形成されているので、流下領域１２８を経由する第２のルートでは遊技球が特定領域１２６を通過する確率は非特定領域１２７を通過する（外れ）確率よりかなり小さい。これに対し、貯留箱１２４を経由する第１のルートでは、貯留箱１２４が回動して特定領域１２６の方へ傾くので、開放された貯留球は容易に特定領域１２６を通過することとなる。但し、第１のルートは、貯留箱１２４に遊技球を貯留させる第１のステップと、遊技球にクルーン１２５の当たり領域１２５ａを通過させる第２のステップとから構成される。なお、第２の実施形態における中央入賞装置１２０も、閉鎖状態において遊技球が入賞不可能な構成としたが、閉鎖状態において入賞可能であるが困難な構成としても当然よい。
【００６８】
次に、弾球遊技機１０１を用いた遊技の概要は、弾球遊技機１を用いた遊技と基本的に同様であるのでここでは省略する。
【００６９】
以上のように、第２の実施形態に係る弾球遊技機１０１では、中央入賞装置１２０は遊技球を貯留する貯留手段としての貯留箱１２４と、貯留球の開放を決定する開放決定手段としてのクルーン１２５と、を含み、遊技者が左打ちをすると貯留箱１２４に遊技球を貯留することが可能で、右打ちをすると貯留された遊技球を開放させることが可能なように構成されている。更に、貯留箱１２４は、左下端１２４ｃを中心に回動可能で、収容した貯留球が特定領域１２６を通過（Ｖ入賞）しやすいように開放できるように構成されている。これにより、遊技者は左打ちを行って貯留箱１２４に遊技球を貯留させてＶ入賞を得やすくすることができ、更に、右打ちを行って貯留箱１２４に収容された貯留球の開放を行うことができるので、遊技者が特別遊技（大当たり）の獲得に積極的に関与することとなり、従来の弾球遊技機にはない新たな興趣を遊技者に提供することが可能となる。
【００７０】
なお、第２の実施形態でも、始動開放状態及び特別開放状態の両方において、貯留箱１２４に遊技球を貯留することを可能とし、貯留箱１２４に収納された貯留球が特定領域１２６を通過（Ｖ入賞）しやすいように開放されるものとしたが、始動開放状態又は特別開放状態（単位特別遊技）のいずれかにおいてのみ遊技球を貯留箱１２４に収容して貯留可能としてもよい。これにより、従来の弾球遊技機にはない新たな興趣を遊技者に提供することができ、更に遊技の多様性を拡大させることが可能となる。
【００７１】
以上、本発明の第１、第２の実施形態について説明したが、本発明に係る弾球遊技機１、１０１では、中央入賞装置２０、１２０（可変入賞部）は、遊技球を貯留する貯留箱２４、１２４（貯留手段）と、貯留された貯留球の開放を決定する開放決定手段（主に内部ステージ２５、クルーン１２５により構成される）と、を含み、該開放決定手段は遊技者の選択により開放決定が可能で、中央入賞装置２０、１２０は、開放された貯留球が特定領域２６、１２６を通過しやすいように構成されていることを特徴としている。これにより、遊技者は貯留箱２４、１２４に遊技球を貯留させて特別開放状態（単位特別遊技）を得やすくすることが可能であり、更に、貯留球の開放を遊技者自身が決定することができるので、遊技者が特別遊技（大当たり）の獲得に積極的に関与することとなり、従来の弾球遊技機にはない新たな興趣を遊技者に提供することが可能となる。
【００７２】
また、本発明に係る弾球遊技機１、１０１では、貯留箱２４、１２４は遊技球を収納する箱型役物であって、該箱型役物が変動又は変形することにより貯留球を特定領域２６、１２６の方へ開放することを特徴としている。これにより、貯留される遊技球は貯留箱２４、１２４内に収容され、この貯留箱２４、１２４が変動（回動）又は変形（側面２４ｂ、１２４ｂが回動）することにより収容した貯留球を開放するので、貯留球を特定領域２６、１２６の方へ確実に開放することが可能である。
【００７３】
また、本発明に係る弾球遊技機１、１０１では、一対の羽根（第１の羽根２１、１２１、第２の羽根２２、１２２）のいずれか一の側に貯留箱２４、１２４が配設され、他の側に開放決定手段（内部ステージ２５、クルーン１２５）が配設されていることを特徴としている。これにより、遊技者は一対の羽根のいずれか一の側（第１の羽根２１、１２１）を狙って遊技球を発射することで遊技球を貯留させることができ、他の側（第２の羽根２２、１２２）を狙って発射することで貯留球を開放させることが可能である。
【００７４】
また、本発明に係る弾球遊技機１では、開放決定手段（内部ステージ２５）は遊技球を貯留箱２４に衝突させることにより決定を行うことを特徴としている。これにより、遊技者は遊技球を貯留箱２４に衝突させるように遊技球を打ち出すので、従来とは異なる興趣を遊技者に与えることが可能である。
【００７５】
また、本発明に係る弾球遊技機１０１では、開放決定手段（クルーン１２５）は当たり領域１２５ａと非当たり領域１２５ｂ、１２５ｂとを含む役物であって、遊技球が当たり領域１２５ａを通過した場合に決定を行うことを特徴としている。これにより、遊技球が当たり領域１２５ａを通過した場合に貯留球は開放されるので、更なる興趣を遊技者に与えることが可能である。
【００７６】
更に、本発明に係る弾球遊技機１、１０１では、少なくとも、始動開放状態、特別開放状態のいずれかにおいて、貯留箱２４、１２４は遊技球を貯留し、貯留球は特定領域２６、１２６を通過しやすいように開放されることを特徴としている。これにより、始動開放状態又は特別開放状態（単位特別遊技）のいずれかにおいてのみ遊技球を貯留して開放することとしてもよく、遊技の多様性を拡大させることが可能となる。
【００７７】
なお、本発明の範囲は上述した実施形態に限られず、特許請求の範囲の記載に反しない限り、他の様々な実施形態に適用可能である。例えば、中央入賞装置２０、１２０は、閉鎖状態において遊技球が入球不可能な形態について説明したが、閉鎖状態において入球可能であるが困難な形態としてもよい。
【００７８】
また、第１、第２の実施形態では、特定領域２６、１２６が中央に、その左右両側に非特定領域２７、２７、１２７、１２７が形成されている形態について説明したが、特定領域が移動可能な形態であってもよい。例えば、中央入賞装置（可変入賞部）の内部に、特定領域が移動可能に配設され、特定領域の回りに非特定領域が形成されているような中央入賞装置とし、開放決定手段が貯留球の開放を決定すると、特定領域は移動し、貯留球が特定領域を通過しやすい状態へと変動するようなものであってもよい。
【００７９】
また、第１、第２の実施形態では、４個の遊技球が貯留箱２４、１２４に貯留された場合に貯留球の開放を行う形態について説明したが、貯留球の個数に関わらず貯留球の開放を行う形態であってもよく、更に、貯留箱２４、１２４に貯留可能な遊技球の個数は４個に限られない。
【産業上の利用可能性】
【００８０】
本発明は、遊技球を用いる弾球遊技機であれば、いわゆるパチンコ機のみならず、アレンジボール等他の弾球遊技機にも適用可能である。
【図面の簡単な説明】
【００８１】
【図１】本発明の第１の実施形態に係る弾球遊技機１の遊技盤２の正面（前面）側盤面を示す正面図である。
【図２】中央入賞装置２０を拡大して示す正面概略図である。
【図３】本発明の第２の実施形態に係る弾球遊技機１０１の遊技盤１０２の正面（前面）側盤面を示す正面図である。
【図４】中央入賞装置１２０を拡大して示す正面概略図である。
【符号の説明】
【００８２】
１、１０１  弾球遊技機、２、１０２  遊技盤、３、１０３  遊技領域、４、１０４  ガイドレール、５、１０５  入賞口、６、１０６  普通図柄表示部、７、１０７  作動ゲート、８、１０８  風車、９、１０９  アウト口、１１、１１１  第１の始動入賞部、１１ａ、１１１ａ  拡大装置、１２、１１２  第２の始動入賞部、２０、１２０  中央入賞装置、２１、１２１  第１の羽根、２２、１２２  第２の羽根、２３、１２３  庇部、２４、１２４  貯留箱、２４ａ、１２４ａ  開口部、２４ｂ、１２４ｂ  側面、２４ｃ、１２４ｃ  左下端、２５  内部ステージ、２５ａ  流下孔、２６、１２６  特定領域、２７、１２７  非特定領域、２８、１２８  流下領域、１２５  クルーン、１２５ａ  当たり領域、１２５ｂ  非当たり領域、１２９ａ  通過孔、１２９ｂ  仕切り塀
【図１】
2006149492.tif 000003
【図２】
2006149492.tif 000004
【図３】
2006149492.tif 000005
【図４】
2006149492.tif 000006